(57)【要約】      （修正有）【課題】電気機器に給電する際に電源接続に必要な電源接続装置を提供する。【解決手段】搭載部１０、給電ソケット１１及び変圧ユニット１２を備える。搭載部１０は内部が中空であり、給電ソケット１１は自動車内で用いられるソケットで、変圧ユニット１２は給電ソケット１１と電源コード１２２との間で電気的に接続され、電源コード１２２は、搭載部１０の内部から外部に延伸し、末端に電源プラグを配置する。これにより、自動車用の給電ソケット１１を異なる多数の電気機器に使用することができる。【選択図】図２
0003139503.tif 000002
【実用新案登録請求の範囲】
【請求項１】
搭載部、給電ソケット及び変圧ユニットを備える多用途電源接続装置であって、
前記搭載部は内部が中空であり、
前記給電ソケットは自動車内で用いられるソケットで、前記搭載部に配置され、
前記変圧ユニット前記搭載部内に配置され、前記給電ソケットと電源コードとの間で電気的に接続され、前記電源コードは、前記搭載部の内部から外部に延伸し、末端に電源プラグを配置することを特徴とする多用途電源接続装置。
【請求項２】
前記搭載部は円盤座体に似た外形を呈することを特徴とする請求項１に記載の多用途電源接続装置。
【請求項３】
前記搭載部は前記電源コードを巻いて収納する巻取盤を配置することを特徴とする請求項１に記載の多用途電源接続装置。
【請求項４】
前記搭載部は組み合わせて使用する電気機器を前記搭載部に装着させるために、定位部を凸設することを特徴とする請求項１に記載の多用途電源接続装置。
【請求項５】
前記搭載部は発光ユニットを有し、その発光により通電しているかどうか、認識することを特徴とする請求項１に記載の多用途電源接続装置。
【請求項６】
前記発光ユニットはＬＥＤであることを特徴とする請求項５に記載の多用途電源接続装置。
【請求項７】
前記発光ユニットは複数で、給電ソケットの周囲を囲むように配列することを特徴とする請求項５に記載の多用途電源接続装置。
【請求項８】
前記発光ユニットは上方に透明カバーを配置することを特徴とする請求項７に記載の多用途電源接続装置。
【請求項９】
前記搭載部は電前記源コードを通す欠口部を設けることを特徴とする請求項１に記載の多用途電源接続装置。
【考案の詳細な説明】
【技術分野】
【０００１】
本考案は、電気機器の付属品に関し、特に電気機器に電気を提供する際の電源接続に必要で、各種の電気機器に用いられる電気機器の付属品に関する。
【背景技術】
【０００２】
自動車用のシガーライターは、車内の充電座に接続され、電気で加熱されることにより、シガーライターが高熱を持ち、ユーザーがタバコに着火するのに用いられる。しかし、このように便利なシガーライターでも、一般に車内における使用に限られ、屋内においては、一般のライターなどによってタバコに着火しなければならない。これは、燃料が消耗するという問題だけでなく、使用において危険性も有する。
【０００３】
一般のナイトライトは、屋内の壁など配置されるコンセントに差し込んで配置する必要があるため、コンセントの位置により制限を受け、照明が及ぶ範囲に影響を与えてしまう。電源の延長ケーブルにより移動させることができるが、延長ケーブル上のコンセントは平らになるように配置できないため、机上などに配置することに適さない。本考案は、上記の欠点を解決するため、改良した電源接続装置を提供する。
【特許文献１】登録実用新案第３１１３９７７号明細書
【考案の開示】
【考案が解決しようとする課題】
【０００４】
本考案の第１の目的は、主に自動車内で用いられる給電ソケットを利用して、この給電ソケットに自動車用シガーライターの接続部が挿入されることにより給電され、自動車用シガーライターを机上などの場所に配置して使用することができ、車内でしか使用できないという制限を受けない多用途電源接続装置を提供することにある。
本考案の第２の目的は、自動車内で用いられる給電ソケットを介して、ナイトライトやヒーターなどの電気機器に給電を行ない、机上などの場所に配置して使用し、壁に配置されたコンセントの制限を受けない多用途電源接続装置を提供することにある。
【課題を解決するための手段】
【０００５】
上述の目的を達成するため、本考案は多用途電源接続装置を提供する。本考案の多用途電源接続装置は、搭載部、給電ソケット及び変圧ユニットを備える。搭載部は内部が中空であり、給電ソケットは自動車内で用いられるソケットで、変圧ユニットは給電ソケットと電源コードとの間で電気的に接続され、電源コードは、搭載部の内部から外部に延伸し、末端に電源プラグを配置する。
【考案の効果】
【０００６】
本考案の多用途電源接続装置は、机上などの平面上で使用でき、自動車用シガーライターが車内でしか使用できなかったり、ナイトライトが壁に配置されたコンセント上でしか使用できなかったりする制限を再び受けることがなくなり、使用したい場所で自由に使用することができる。
【考案を実施するための最良の形態】
【０００７】
以下、本考案の実施形態を図面に基づいて説明する。図１は、本考案の実施形態による電源接続装置を示す斜視図である。図２は、本考案の実施形態による電源接続装置を示す断面図である。図１及び図２に示すように、本考案の実施形態における電源接続装置１は、シガーライター、ナイトライト、電気ヒーターなど電気が提供されることにより稼動する電気機器に用いられる。電源接続装置１は、搭載部１０、給電ソケット１１及び変圧ユニット１２を備える。
【０００８】
搭載部１０は、上記の電気機器を搭載するのに用いられる。電気機器は、搭載部１０により机上に配置され、ユーザーが近くで使用することができる。本考案の実施形態において、搭載部１０は、円盤座体に似た外形を呈し、内部に変圧ユニット１２を配置する必要があるため、内部が中空である。また、搭載部１０は、電源コード１２２を巻いて収納する巻取盤１００を内部に配置する。搭載部１０は、組み合わせて使用する電気機器を固定させるために、頂面の中心部に環状の定位部１０１を凸設する。これにより、電気機器が搭載部１０にしっかり搭載される。
【０００９】
給電ソケット１１は、自動車内で用いられる電気を供給するソケットで、規格化された通常の部品であり、搭載部１０の定位部１０１上に立てて配置される。組み合わせて使用される電気機器は、その接続部が給電ソケット１１に挿入されることにより、給電される。また、定位部１０１上には、給電ソケット１１に嵌め込む透明カバー１０２を配置しても良い。透明カバー１０２の下方には、給電ソケット１１の周囲を囲むように配列する複数の発光ユニット１０３が配置される。各発光ユニット１０３は、ＬＥＤでもよく、その発光により通電しているかどうか、認識することができる。
【００１０】
変圧ユニット１２は、搭載部１０内の巻取盤１００内に配置される。変圧ユニット１２は、回路板１２０を含み、回路板１２０上のコイル１２１と、回路板１２０上に配置される複数のコンデンサと、に電気的に接続される。回路板１２０は、これらにより、給電ソケット１１に電気的に接続され、同時に、電源コード１２２とも電気的に接続される。電源コード１２２は、搭載部１０の内部から外部に延伸し、末端に配置された電源プラグ１２３により屋内のコンセントに挿入され電気が供給される。変圧ユニット１２が一般家庭で使われる給電ソケット１１０Ｖの電圧を１２Ｖの電圧に下げることにより、前述した各種電気機器が使用できる。変圧原理は、従来技術であり、本考案の実用新案請求の範囲でないため、説明は行なわない。
【００１１】
電源コード１２２は、搭載部１０内から外部に延伸しやすいように、搭載部１０上に電源コード１２２を通す欠口部１０４を設けてもよい。これにより、搭載部１０が平面上に配置されても、電源コード１２２は押しつぶされることがない。
【００１２】
図３は、本考案の実施形態による電源接続装置が自動車用シガーライターに用いられた状態を示す分解斜視図である。図４は、本考案の実施形態による電源接続装置が自動車用シガーライターに用いられた状態を示す斜視図である。図５は、本考案の実施形態による電源接続装置が自動車用シガーライターに用いられた状態を示す断面図である。図３及び図４に示すように、本考案の実施形態における電源接続装置１は、自動車用シガーライター２に組み合わせて使用することができる。ユーザーがタバコに着火できるように、自動車用シガーライター２の接続部２０を給電ソケット１１に差し込むと、電源接続装置１は自動車用シガーライター２に対して加熱を行う。また、図５に示すように、自動車用シガーライター２を使用する際、搭載部１０上に灰皿２１を配置することもできる。灰皿２１は、中央に開口部２１０を有し、搭載部１０の定位部１０１に嵌合することができる。これにより、ユーザーは、タバコの着火手段と、タバコの灰及び吸殻を捨てる場所と、が提供される。
【００１３】
図６は、本考案の実施形態による電源接続装置がナイトライトに用いられた状態を示す分解斜視図である。図７は、本考案の実施形態による電源接続装置がナイトライトに用いられた状態を示す斜視図である。図６及び図７に示すように、本考案の実施形態における電源接続装置１は、ナイトライト３と組み合わせて使用される。ナイトライト３は、接続部３０が給電ソケット１１と組み合わせて用いられる。このようにすると、ナイトライト３は、机上などの平面において使用でき、壁以外の場所でしか使用できないという制限を受けることがなくなった。
【００１４】
図８は、本考案の実施形態による電源接続装置がヒーターに用いられた状態を示す斜視図である。図８に示すように、本考案の実施形態における電源接続装置１は、ヒーター４と組み合わせて使用される。上記の方法により、ヒーター４も電源接続装置１上に装着できる。当然  その他の電気機器も自動車シガーライターソケットと組み合わせる接続部により、電源接続装置１に装着して使用することができる。
【００１５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００１６】
【図１】本考案の実施形態による電源接続装置を示す斜視図である。
【図２】本考案の実施形態による電源接続装置を示す断面図である。
【図３】本考案の実施形態による電源接続装置が自動車用シガーライターに用いられた状態を示す分解斜視図である。
【図４】本考案の実施形態による電源接続装置が自動車用シガーライターに用いられた状態を示す斜視図である。
【図５】本考案の実施形態による電源接続装置が自動車用シガーライターに用いられた状態を示す断面図である。
【図６】本考案の実施形態による電源接続装置がナイトライトに用いられた状態を示す分解斜視図である。
【図７】本考案の実施形態による電源接続装置がナイトライトに用いられた状態を示す斜視図である。
【図８】本考案の実施形態による電源接続装置がヒーターに用いられた状態を示す斜視図である。
【符号の説明】
【００１７】
１  電源接続装置
２  自動車用シガーライター
３  ナイトライト
４  電気ヒーター
１０  搭載部
１１  給電ソケット
１２  変圧ユニット
２０  接続部
２１  灰皿
３０  接続部
１００  巻取盤
１０１  定位部
１０２  透明カバー
１０３  発光ユニット
１０４  欠口部
１２０  回路板
１２１  コイル
１２２  電源コード
１２３  電源プラグ
２１０  開口部
【図１】
0003139503.tif 000003
【図２】
0003139503.tif 000004
【図３】
0003139503.tif 000005
【図４】
0003139503.tif 000006
【図５】
0003139503.tif 000007
【図６】
0003139503.tif 000008
【図７】
0003139503.tif 000009
【図８】
0003139503.tif 000010